(57)【要約】  【目的】スイッチ操作結果が少ない目線移動で確認できるサブ表示装置を備える車載用オーディオ装置を提供する。  【構成】車載用オーディオ装置２０は、車両の運転席前方に搭載される車載用オーディオ装置であり、オーディオスイッチ操作の操作結果Ｒをメイン表示装置７に表示するとともに、その操作結果Ｒの表示データまたは操作結果Ｒの簡略化された表示データをサブ表示用データＤとして赤外線又は無線電波Ｔによって送信する送信手段９を有するオーディオ装置本体１と、オーディオ装置本体１と切り離され、オーディオ装置本体１から送信されたサブ表示用データＤを受信する受信手段１２と、そのサブ表示用データＤを表示する表示手段１３と、車両の運転席前方に取り付ける取付手段と、を有するサブ表示装置１５と、からなる構成であり、サブ表示装置１５は運転席前方のインストルメント・パネル上などに取り付けられる。【選択図】  図１
2006335301.tif 000002
【特許請求の範囲】
【請求項１】
車両の運転席前方に搭載される車載用オーディオ装置において、
オーディオスイッチ操作の操作結果をメイン表示装置に表示するとともに、その操作結果の表示データまたは操作結果の簡略化された表示データをサブ表示用データとして赤外線又は無線電波によって送信する送信手段を有するオーディオ装置本体と、
前記オーディオ装置本体と切り離され、前記オーディオ装置本体から送信された前記サブ表示用データを受信する受信手段と、そのサブ表示用データを表示する表示手段と、車両の運転席前方に取り付ける取付手段と、を有するサブ表示装置と、
からなることを特徴とする車載用オーディオ装置。
【発明の詳細な説明】
【技術分野】
【０００１】
本発明は、車載用オーディオ装置におけるスイッチの操作結果を表示装置に表示する表示技術に関する。
【背景技術】
【０００２】
車両のインストルメント・パネルに装着され、ＡＭ／ＦＭラジオチューナやＣＤ／ＭＤ再生装置などを備えた車載用オーディオ装置では、ユーザーがスイッチ操作を行うと、その操作内容や操作結果が装置本体前面に一つ配された液晶、ＥＬ、ＣＲＴなどの表示装置の画面に表示されるのが一般的である。
【０００３】
例えば、ＦＭラジオのシークスイッチを押すと、ＦＭ電子チューナが受信周波数のシークを始めて次々と受信周波数の遷移を表示しつつ選局された受信周波数で止まり、選局周波数、放送局名、メモリーに記録された放送局番号などを表示し、更にステレオ／モノラル受信の区別などを表示する。
また、ＣＤなどの音楽ディスクを再生する場合は、ユーザーのスイッチ操作で指定したディスク番号、ディスク名、曲番や曲名、演奏時間などが表示画面に表示される。
前記ユーザー（運転者）は前記装置本体の表示装置の画面を見てオーディオ装置の動作状態、操作結果を見て自己の行ったオーディオスイッチの操作結果の確認を行っている。
【０００４】
なお、公知文献として、下記［特許文献１］には、ラジオ受信機のリモート・スイッチの種類が増えてもインストルメント・パネル上のスイッチの数を増やすことなく対応できるようにするために、操作スイッチがラジオ受信機の筐体とは別に運転席の操作しやすい位置に設けられた車載ラジオ受信機で、前記操作スイッチが押しボタンスイッチであり、２つの接点を有して電源スイッチ回路と選局トリガ入力端子の電位が接続されているとする車載ラジオ受信機の構成が提案されている。
【０００５】
【特許文献１】特開平７−１０６９９１号公報
【発明の開示】
【発明が解決しようとする課題】
【０００６】
車載用オーディオ装置のスイッチ配列の工夫、スイッチ機構の改善などにより、走行中にユーザー（運転者）がインストルメント・パネルのオーディオ装置のスイッチ操作を行うこと自体は簡単になってきているが、そのスイッチ操作結果をインストルメント・パネル上のオーディオ装置本体に組み込まれている表示装置の画面で確認することもスイッチ操作の後に必要であり、これには多少の時間を要して、そのための目線の移動は少なからず安全運転に影響を与える可能性があった。
【０００７】
この点、前述の［特許文献１］に記載された車載用オーディオ装置の提案は、スイッチ操作に関する改善であり、スイッチ操作結果の確認作業における改善とは視点が異なる。
【０００８】
従来より、前記［特許文献１］に記載されているように、車載用オーディオ装置における操作スイッチの主要な一部を運転席の運転者の手の近く、多くはステアリングホイール部分に一体に取り付けた構成が既に実用化されており、運転中でも運転者が手元で容易に目線の移動を少なくしてオーディオ装置のスイッチ操作ができるようになっているが、その操作結果の確認は従来と同様に運転者の運転目線からかなり下に位置するインストルメント・パネルに装着されたオーディオ装置本体の表示装置の画面を見なければならず、運転視野を完全に閉ざすほどの大きな目線移動を強いられることに変わりはない。
【０００９】
本発明は上記事情に鑑みてなされたものであり、ユーザー（運転者）が運転中でも車載用オーディオ装置に対するスイッチ操作した操作結果を目線の大きな移動を伴わずに確認できるようにして安全運転に支障のないようにすることを目的とする。
【課題を解決するための手段】
【００１０】
本発明は、車両の運転席前方に搭載される車載用オーディオ装置において、オーディオスイッチ操作の操作結果Ｒをメイン表示装置７に表示するとともに、その操作結果Ｒの表示データまたは操作結果の簡略化された表示データをサブ表示用データＤとして赤外線又は無線電波Ｔによって送信する送信手段９を有するオーディオ装置本体１と、前記オーディオ装置本体１と切り離され、前記オーディオ装置本体１から送信された前記サブ表示用データＤを受信する受信手段１２と、そのサブ表示用データＤを表示する表示手段１３と、車両の運転席前方に取り付ける取付手段と、を有するサブ表示装置１５と、からなることを特徴とする車載用オーディオ装置２０を提供することにより、上記課題を解決する。
【発明の効果】
【００１１】
本発明に係る車載用オーディオ装置は、上記のようにオーディオ装置本体と切り離された受信手段を有するサブ表示装置が備わっており、操作結果がサブ表示装置に表示されるので、このサブ表示装置を運転席前面のインストルメント・パネル上などの運転目線の範囲内に設置することで、運転者は運転中でも前方に向けた目線を僅かに移動するだけでサブ表示装置の画面を見ることができ、オーディオスイッチ操作結果を容易に確認することができる。その結果、安全運転にも資することになるという優れた効果を有する。
また、サブ表示装置はワイヤー接続ではないので、運転者が見やすいと思う任意の位置に設置することができる。
【発明を実施するための最良の形態】
【００１２】
本発明に係る車載用オーディオ装置の実施の形態について、図面に基づき説明する。なお、従来技術と同等であるオーディオ機器の詳細な表記及び説明は省略し、専ら本発明に特徴的なサブ表示装置についてＦＭラジオチューナを例として詳述する。
【００１３】
図１は本発明に係る車載用オーディオ装置のＦＭラジオチューナ部分と操作結果を表示する表示手段の構成を説明するためのブロック図である。図２は本発明に係る車載用オーディオ装置の自動車への取り付け状態を説明するための車室内部を表す斜視図である。
【００１４】
図１において、車載用オーディオ装置２０は、車両の運転席前方に搭載される車載用オーディオ装置であり、特に、入力装置１０によるオーディオスイッチ操作の操作結果Ｒをメイン表示装置７に表示するとともに、その操作結果Ｒの表示データまたは操作結果の簡略化された表示データをサブ表示用データＤとして送信媒体Ｔ（赤外線又は無線電波）によって送信する送信手段９を有するオーディオ装置本体１と、前記オーディオ装置本体１と切り離され、前記オーディオ装置本体１から送信された前記サブ表示用データＤを受信する受信手段１２と、そのサブ表示用データＤを表示する表示手段（表示ドライバ１３ａと液晶、ＥＬなどの小型の表示画面１３ｂからなる）と、車両の運転席前方に取り付ける取付手段と、を有するサブ表示装置１５と、からなる構成となっている。
【００１５】
なお、図１における２は高周波増幅、ミクサ、局部発振ＶＣＯからなるフロント・エンド部、３はＩＦ増幅、リミッタ、ＦＭ検波からなる中間周波部、４はマルチプレックス（ＭＰＸ）復調部、５はＬ／Ｒチャンネル出力部、ＳＰはＬ／Ｒスピーカ、６はデジタル表示部（デジタルチューニングシステムＤＴＳ）、８は表示ドライバ、１１はオーディオ装置のシステム制御のためのマイクロコンピュータを主体とする制御部である。
【００１６】
上記オーディオ装置本体１は、図２に示されるように従来の一般的なオーディオ装置と同様に車両の運転席前方のインストルメント・パネルに装着され、本発明に特徴的な構成要素である上記サブ表示装置１５は粘着テープなどによる簡易な取付手段によって、運転者が運転中でも目線を僅かに落とすだけで見える例えば運転席前のインストルメント・パネル上やフロントガラスの下端部分近傍に固定される。
【００１７】
上記送信手段９は、送信媒体Ｔが赤外線の場合は電気機器の赤外線リモコンと同様の赤外線ダイオードによる送信回路であり、無線電波の場合は数十ＭＨｚの微弱電力のＦＭ電波発振回路である。何れも到達範囲は車内に届く程度で十分である。また、上記サブ表示装置１５の電源は電池駆動で足り、ワイヤー接続の必要はない。
【００１８】
本発明の要諦は、オーディオ装置本体１のメイン表示装置７に表示されたオーディオスイッチ操作の操作結果Ｒを運転者がわざわざ運転目線から外して覗き込まなくても、その操作結果Ｒを運転視野内に入っている運転席前方の前記サブ表示装置１５を一瞬見るだけで確認できるという点に存する。
【００１９】
この場合、サブ表示装置１５の表示画面１３ｂにはメイン表示装置７の画面に表示された操作結果Ｒと同じ表示内容であってもよいが、一瞬で操作結果を確認できるほうが安全運転に資することから、操作結果Ｒの簡略化された少ない表示データＤを表示することが好ましいといえる。図１の例では、操作結果ＲがＦＭラジオの８７．５ＭＨｚの受信周波数の放送局で、ステレオ放送であり、チャンネル１番に相当することがメイン表示装置７に表示されているが、一般にユーザー（運転者）が確認したいことは８７．５ＭＨｚに選局されたことであるので、サブ表示装置１５の表示画面１３ｂには８７．５という数値が表示されるのみとなっている。前記ユーザーはこれでも十分に操作結果を認知できるのである。
【００２０】
なお、上記実施の形態は車載用オーディオ装置におけるＦＭラジオ受信機の操作例であるが、車載用オーディオ装置に備わる他のモード、例えばＣＤ／ＭＤ音楽再生、ＡＭラジオ受信などの場合にも上記と同様に、その操作結果や出力中のメディアの簡易な情報を運転中に前記サブ表示装置１５にて容易に確認することができることは勿論である。
【図面の簡単な説明】
【００２１】
【図１】本発明に係る車載用オーディオ装置のＦＭラジオチューナ部分と操作結果を表示する表示手段の構成を説明するためのブロック図である。
【図２】本発明に係る車載用オーディオ装置の自動車への取り付け状態を説明するための車室内部を表す斜視図である。
【符号の説明】
【００２２】
１      オーディオ装置本体
４      ＭＰＸ復調部
６      デジタル表示部
７      メイン表示装置
８      表示ドライバ
９      送信手段
１０      入力装置
１１      制御部
１２      受信手段
１３      表示手段
１３ａ      表示ドライバ
１３ｂ      表示画面
１５      サブ表示装置
２０      車載用オーディオ装置
Ｄ      サブ表示用データ
Ｒ      操作結果
Ｔ      送信媒体
【図１】
2006335301.tif 000003
【図２】
2006335301.tif 000004